【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
被検体に高周波パルスと傾斜磁場を印加して、核磁気共鳴信号を取得する信号取得部と、前記核磁気共鳴信号から画像を再構成する信号処理部とを有し、
前記信号取得部は、計測空間において、原点を中心として放射状に配置される複数の核磁気共鳴信号データを取得し、
前記信号処理部は、
前記計測空間において、原点を含み、原点から所定の範囲の第１領域のデータ、および、前記第１領域よりも原点から離れた範囲を含む第２領域のデータをそれぞれ逆フーリエ変換し、第１領域逆フーリエ変換後データおよび第２領域逆フーリエ変換後データを得る逆フーリエ変換部と、
前記第２領域逆フーリエ変換後データの複素共役データを求めることにより推定データを得る複素共役部と、
前記第２領域逆フーリエ変換後データまたは複素共役データから前記第１領域逆フーリエ変換後データの位相値を減算または加算することにより位相補正を行う位相補正部と、
前記第１領域逆フーリエ変換後データと第２領域逆フーリエ変換後データと前記推定データとを加算することにより再構成画像を得る加算部とを備えることを特徴とする磁気共鳴イメージング装置。
【請求項２】
請求項１に記載の磁気共鳴イメージング装置において、
前記第１および第２領域のデータをそれぞれ選択するフィルタ設定部をさらに有し、
前記フィルタ設定部は、前記推定データをフーリエ変換して計測空間に仮想的に配置した場合に、計測空間において、該フーリエ変換後の推定データが、前記第１および第２の領域のデータと重なり合わないように前記第１および第２領域のデータをそれぞれ選択することを特徴とする磁気共鳴イメージング装置。
【請求項３】
請求項１に記載の磁気共鳴イメージング装置において、前記位相補正部は、前記第２領域逆フーリエ変換後データから前記第１領域逆フーリエ変換後データの位相値を減算することにより位相補正を行い、前記複素共役部は、位相補正後の前記２領域逆フーリエ変換後データの複素共役データを求めることを特徴とする磁気共鳴イメージング装置。
【請求項４】
請求項２に記載の磁気共鳴イメージング装置において、前記フィルタ設定部は、前記計測空間において、前記第１領域のデータと、前記第２領域のデータとが重なり合わないように前記第１および第２領域のデータをそれぞれ選択することを特徴とする磁気共鳴イメージング装置。
【請求項５】
請求項１に記載の磁気共鳴イメージング装置において、前記信号取得部の取得する核磁気共鳴信号データは、前記計測空間において、前記原点から所定距離以上離れた領域の一部において、データが欠落していることを特徴とする磁気共鳴イメージング装置。
【請求項６】
請求項１に記載の磁気共鳴イメージング装置において、前記信号取得部は、前記計測空間に配置した場合に、前記原点を中心として相互に点対称の関係にないように前記複数の核磁気共鳴信号データを取得することを特徴とする磁気共鳴イメージング装置。
【請求項７】
請求項１に記載の磁気共鳴イメージング装置において、前記信号取得部は、高周波磁場パルスとして時間軸方向に対称関数をエンベロープとするパルスの前半のみを印加し、前記核磁気共鳴信号として、前記計測空間の原点を始点とする信号を取得することを特徴とする磁気共鳴イメージング装置。
【請求項８】
被検体に高周波パルスと傾斜磁場を印加して、核磁気共鳴信号を取得する信号取得部と、前記核磁気共鳴信号から画像を再構成する信号処理部とを有し、
前記信号取得部は、計測空間において、原点を中心として放射状に配置される複数の核磁気共鳴信号データを取得し、
前記信号処理部は、前記計測空間において、原点を含み、原点から所定の範囲の第１領域のデータ、および、前記第１領域よりも原点から離れた範囲を含む第２領域のデータを選択するためのフィルタ設定部と、前記フィルタ設定部で選択された第１および第２の領域の核磁気共鳴信号データ、および、計測空間全体の前記核磁気共鳴信号データをそれぞれ逆フーリエ変換し、第１領域逆フーリエ変換後データと第２領域逆フーリエ変換後データと全体逆フーリエ変換後データとを得る逆フーリエ変換部と、前記第２領域逆フーリエ変換後データの複素共役データを求めることにより推定データを得る複素共役部と、前記第２領域逆フーリエ変換後データまたは複素共役データから前記第１領域逆フーリエ変換後データの位相値を減算または加算することにより位相補正を行う位相補正部と、前記全体逆フーリエ変換後データと前記推定データとを加算することにより再構成画像を得る加算部とを含むことを特徴とする磁気共鳴イメージング装置。
【請求項９】
請求項８に記載の磁気共鳴イメージング装置において、前記位相補正部は、前記第２領域逆フーリエ変換後データから前記第１領域逆フーリエ変換後データの位相値を減算することにより位相補正を行い、前記複素共役部は、位相補正後の前記２領域逆フーリエ変換後データの複素共役データを求めることを特徴とする磁気共鳴イメージング装置。
【請求項１０】
請求項８に記載の磁気共鳴イメージング装置において、前記信号取得部が取得する前記複数の核磁気共鳴信号は、複数の群に分かれ、各群を構成する複数の核磁気共鳴信号は、前記計測空間において平行に位置し、各群は、原点を中心に放射状に並んでいることを特徴とする磁気共鳴イメージング装置。
【請求項１１】
請求項１０に記載の磁気共鳴イメージング装置において、前記各群を構成する平行な複数の核磁気共鳴信号は、原点に対して非対称に偏って位置することを特徴とする磁気共鳴イメージング装置。
【請求項１２】
請求項１１に記載の磁気共鳴イメージング装置において、前記各群を構成する平行な複数の核磁気共鳴信号は、原点を一様の密度で取り囲むように配置されていることを特徴とする磁気共鳴イメージング装置。
【請求項１３】
請求項１２に記載の磁気共鳴イメージング装置において、前記フィルタ設定部は、前記各群を構成する平行な複数の核磁気共鳴信号のうち、該群内において原点を中心として対称な核磁気共鳴信号が存在しない非対称な核磁気共鳴信号データを前記第２領域のデータとして選択することを特徴とする磁気共鳴イメージング装置。
【請求項１４】
演算装置を、
計測空間において、原点を中心として放射状に配置される複数の核磁気共鳴信号データについて、原点を含み、原点から所定の範囲の第１領域のデータ、および、前記第1領域よりも原点から離れた範囲を含む第２領域のデータを選択するためのフィルタ設定手段、
前記フィルタ設定手段で選択された第１および第２領域の前記核磁気共鳴信号データをそれぞれ逆フーリエ変換し、第１領域逆フーリエ変換後データおよび第２領域逆フーリエ変換後データを得る逆フーリエ変換手段、
前記第２領域逆フーリエ変換後データの複素共役データを求めることにより推定データを得る複素共役手段、
前記第２領域逆フーリエ変換後データまたは複素共役データから前記第１領域逆フーリエ変換後データの位相値を減算または加算することにより位相補正を行う位相補正手段、および、
前記第１領域逆フーリエ変換後データと第２領域逆フーリエ変換後データと前記推定データとを加算することにより再構成画像を得る加算手段、
として機能させるためのプログラムであって、
前記フィルタ設定手段は、前記推定データをフーリエ変換して計測空間に仮想的に配置した場合に、計測空間において、該フーリエ変換後の推定データが、前記第１および第２領域のデータと重なり合わないように前記第１および第２領域のデータをそれぞれ選択することを特徴とする画像再構成プログラム。
【請求項１５】
演算装置を、
計測空間において、原点を中心として放射状に配置される複数の核磁気共鳴信号データについて、原点を含み、原点から所定の範囲の第１領域のデータ、および、前記第1領域よりも原点から離れた範囲を含む第２領域のデータを選択するためのフィルタ設定手段、
前記フィルタ選択手段で選択された第１および第２領域の前記核磁気共鳴信号データ、および、計測空間全体の前記核磁気共鳴信号データをそれぞれ逆フーリエ変換し、第１領域逆フーリエ変換後データと第２領域逆フーリエ変換後データと全体逆フーリエ変換後データとを得る逆フーリエ変換手段、
前記第２領域逆フーリエ変換後データの複素共役データを求めることにより推定データを得る複素共役手段、
前記第２領域逆フーリエ変換後データまたは複素共役データから前記第１領域逆フーリエ変換後データの位相値を減算または加算することにより位相補正を行う位相補正手段、および、
前記全体逆フーリエ変換後データと前記推定データとを加算することにより再構成画像を得る加算手段、
として機能させるための画像再構成プログラム。